(57)【要約】    【課題】      携帯端末において、内蔵する表示デバイスに映像を表示すると同時に接続された市販の外部表示装置に美しい画像を表示すること。    【解決手段】  内部用画質調整部１０８は、データ入力部１０５から入力される映像データに対して内蔵表示デバイス１０２用の画質調整処理を行って内蔵表示デバイス１０２に表示し、外部接続部１０３に外部映像表示装置３０１が接続されたことを接続検知部１１０が検知したとき、外部用画質調整部１０９は、外部接続情報テーブル１１３に従って画質調処理を行い、外部接続部１０３を介して映像信号を外部表示装置３０１に出力する。  【選択図】      図２
2007088933.tif 000002
【特許請求の範囲】
【請求項１】
映像データを入力する入力手段と、
前記映像データに対して画質調整処理を行う内部用画質調整手段と、
前記内部用画質調整手段が画質調整処理を行った映像データを表示する内部表示手段と、
外部映像表示装置を接続する外部接続インターフェースと、
前記外部接続インターフェースに外部映像表示装置が接続されたことを電気的に検出する接続検出手段と、
前記接続検出手段が検出した前記外部接続インターフェースに従って前記入力手段によって入力された映像データに対して画質調整処理を行う外部用画質調整手段と、
前記外部用画質調整手段が画質調整処理を行った映像データを前記外部接続インターフェースによって接続された前記外部映像表示装置に出力する出力手段と、
を具備することを特徴とする映像再生装置。
【請求項２】
前記外部用画質調整手段は、前記外部接続インターフェースによって接続された外部映像表示装置の解像度と前記外部映像表示装置に映像信号を出力する形式を登録する外部接続情報登録テーブルを備えることを特徴とする請求項１記載の映像再生装置。
【請求項３】
前記外部用画質調整手段は、前記入力手段によって入力された映像データに対して解像度変換処理を行った後に輪郭強調処理を行い、映像信号を出力する形式を調整するインターフェース調整処理を行う画質調整手段を備えることを特徴とする請求項２記載の映像再生装置。
【請求項４】
前記接続検出手段が、前記外部接続インターフェースに複数台の前記外部映像表示装置が接続されたことを検出すると、前記外部用画質調整手段は、前記外部接続インターフェースに従って前記画質調整手段を複数備えることを特徴とする請求項３記載の映像再生装置。
【請求項５】
前記輪郭強調処理は、前記解像度変換処理において大きな拡大率による拡張処理が行われた場合は、前記拡大率に最適な輪郭強調処理を実行し、前記解像度変換処理において小さな拡大率による拡張処理又は、縮小処理が行われた場合は、前記縮小率に最適な輪郭強調処理を行うことを特徴とする請求項３又は請求項４に記載の映像再生装置。
【請求項６】
前記インターフェース調整処理は、前記外部接続情報登録テーブルに登録された前記外部映像表示装置に映像信号を出力する形式に従って前記映像信号を出力する形式を調整することを特徴とする請求項３から請求項５のいずれかに記載の映像再生装置。
【請求項７】
前記拡大率は、前記入力手段によって入力された映像データの解像度と前記外部接続情報登録テーブルに登録された前記外部映像表示装置の解像度に従って計算されることを特徴とする請求項５記載の映像再生装置。
【請求項８】
入力される映像データに対して内部用画質調整処理を行って内部表示手段に表示する内部表示ステップと、
接続検出手段が外部接続インターフェースに外部映像表示装置が接続されたことを検出して、前記外部接続インターフェースに従って前記映像データに対して外部用画質調整処理を行って前記外部接続インターフェースによって接続された前記外部映像表示装置に出力する外部出力ステップと、を並列して同時に実行する映像再生方法。
【請求項９】
前記外部用画質調整処理は、前記映像データに対して解像度変換処理を行った後に輪郭強調処理を行い、映像信号を出力する形式を調整するインターフェース調整処理を行う画質調整処理によって実行されることを特徴とする請求項８記載の映像再生方法。
【請求項１０】
前記接続検出手段が、前記外部接続インターフェースに複数台の前記外部映像表示装置が接続されたことを検出したとき、前記外部用画質調整処理は、前記外部接続インターフェースに従って前記画質調整処理を複数同時に実行することを特徴とする請求項９記載の映像再生方法。
【発明の詳細な説明】
【技術分野】
【０００１】
本発明は、内蔵する映像表示デバイスに映像を表示すると同時に接続された市販の映像表示装置に良質な映像を出力する携帯の映像再生装置及び映像再生方法に関する。
【背景技術】
【０００２】
従来、携帯電話機の解像度は、ＱＣＩＦ（１７６×１４４ピクセル）、又はＱＶＧＡ（３２０×２４０ピクセル）程度であり、携帯電話機などの小型の映像再生装置からＶＧＡ（６４０×４８０ピクセル）の解像度を有する市販の映像表示装置に映像データを出力するときは、携帯電話機用に再生した映像データを拡大して表示していたが、近年、市販の映像表示装置も大型化して１９２０×１０８０ピクセルの高い解像度を有するハイビジョン方式の高画質テレビＨＤＴＶ（High Definition TV）なども流通し、表示画面の縦横比も４：３から１６：９のものも現れて、拡大による画質の劣化が増大する方向にあるため、外部表示装置として利用される映像表示装置に合わせて最適な画質処理を実行する画像再生装置もある（例えば、特許文献１及び特許文献２参照）。
【０００３】
特許文献１の画像再生装置は、入力される画像データの撮影条件などを記録した付加データと、付加データに基づいて出力デバイスを選択する出力デバイス選択手段と、出力デバイスに応じて画像データの画像特性を補正する画像補正プロファイルを記録するプロファイル記録手段と、出力デバイスに応じて画像補正プロファイルを選択するプロファイル選択手段と、画像補正プロファイルに基づいて画像データを画像処理して出力デバイスに出力するように制御する出力制御手段とを備え、画像データごとに記録された付加データに従ってあらかじめ保存されているいくつかの映像補正プロファイルと最適な出力媒体を自動選択し、最適な補正映像を再生することができる。
【０００４】
特許文献２の画像再生装置は、着脱式外部表示装置を連結するためのコネクタと、コネクタに装着された着脱式外部表示装置に情報を送信する送信手段と、着脱式外部表示装置の特性を検出する検出手段と、検出手段により検出された着脱式外部表示装置の機能、特性に応じて電子機器システムの動作を制御する制御手段とを備え、再生モードにおいては、着脱式外部表示装置側で、画像再生装置本体のメモリカードに保存された画像データを読み出し、該画像データを着脱式外部表示装置側の表示画面の特性（画素数、表示素子の違い等）に応じて表示用画像データに変換し、着脱式外部表示装置側の表示画面に表示させる。
【特許文献１】特開２００４−２５０１０９号公報（段落［００６１］−［００６９］、図２）
【特許文献２】特開２００４−８８３９６号公報（段落［００３３］、図１６、図１７）
【発明の開示】
【発明が解決しようとする課題】
【０００５】
しかしながら、特許文献１の画像再生装置は、デジタルカメラ等による撮影条件を記憶した付加データから出力デバイスを選択して出力デバイスに応じた適切な補正をかけ、プレビューを行って記録するもので、撮影条件が記録されていないと補正を行うことができないため、一般的な映像には適応することができない。
【０００６】
特許文献２の画像再生装置は、着脱式外部表示装置側で、画像再生装置本体のメモリカードに保存された画像データを読み出し、着脱式外部表示装置側の表示画面の特性に応じて表示用画像データに変換するもので、画像再生装置本体と着脱式外部表示装置の間にシーケンシャルで特殊なデータ通信制御が要求されるなど、厳密な双方向制御が存在しないと実現できない電子機器システムであって、着脱式ではあるが市販の映像表示装置を接続して映像を表示させることはできない。
【０００７】
また、外部表示装置の使用方法も多様化してきたので、外部表示装置が映像再生装置を操作するユーザから見える場所に設置されるとは限らないため、外部表示装置に表示される映像を映像再生装置で確認したいという要望もあるが、同時に実行できる画像補正手段は一つであり、映像表示デバイスも一つに限定されていた。
【０００８】
映像再生装置では、映像をシャープにするために輪郭強調処理を行っているが、特に、携帯電話機などの小型の映像再生装置においては、小さい表示画面の中で細かい部分が区別しやすいように、より強い輪郭強調処理を行っている。そのため携帯電話機などの小型の映像再生装置用に再生した映像を外部表示装置にそのまま出力すると、小型の映像再生装置用の強い輪郭強調処理が行われた後で、映像をさらに拡大して輪郭強調をかけるため、拡大による画質劣化だけでなく、輪郭強調によりノイズが更に強調されて映像の見栄えが悪いという問題がある。
【０００９】
本発明は、かかる点に鑑みてなされたものであり、内蔵する表示デバイスに映像を表示すると同時に接続された市販の外部表示装置に美しい画像を表示することができる映像再生装置及び映像再生方法を提供することを目的とする。
【課題を解決するための手段】
【００１０】
本発明の映像再生装置は、映像データを入力する入力手段と、前記映像データに対して画質調整処理を行う内部用画質調整手段と、前記内部用画質調整手段が画質調整処理を行った映像データを表示する内部表示手段と、外部映像表示装置を接続する外部接続インターフェースと、前記外部接続インターフェースに外部映像表示装置が接続されたことを電気的に検出する接続検出手段と、前記接続検出手段が検出した前記外部接続インターフェースに従って前記入力手段によって入力された映像データに対して画質調整処理を行う外部用画質調整手段と、前記外部用画質調整手段が画質調整処理を行った映像データを前記外部接続インターフェースによって接続された前記外部映像表示装置に出力する出力手段と、を具備する。
【発明の効果】
【００１１】
本発明によれば、内蔵する表示デバイスに映像を表示すると同時に接続された市販の外部表示装置に美しい画像を表示することができるという効果がある。
【発明を実施するための最良の形態】
【００１２】
以下、本発明の実施の形態１及び実施の形態２について映像再生装置として携帯電話機を例に図面を参照して詳細に説明する。実施の形態１は、携帯電話機に一台の外部表示装置を接続して一台の外部表示装置と携帯電話機の内蔵表示デバイスに同時に映像を表示する携帯電話機の例であり、実施の形態２は、携帯電話機に複数台の外部表示装置を接続して複数台の外部表示装置と携帯電話機の内蔵表示デバイスに同時に映像を表示する携帯電話機の例である。
【００１３】
（実施の形態１）
図１は、本発明の実施の形態１に係る携帯電話機の外観図である。図１（ａ）は、市販の外部表示装置を接続する前の携帯電話機の外観図、図１（ｂ）は、市販の外部表示装置を接続した状態の携帯電話機の外観図である。図１に示すように、携帯電話機１０１は、再生した映像を表示する内蔵表示デバイス１０２と、市販のＴＶ、ＨＤＴＶ、レコーダなどの周辺機器、パーソナルコンピュータのディスプレイ、及びＤＶＩ準拠のモニタなどの外部表示装置３０１をケーブル３０２、又はワイヤレス通信が可能な通信アダプタなどを介して接続する外部接続部１０３とを備える。
【００１４】
外部接続部１０３には、携帯電話機１０１と市販の外部表示装置３０１とを電気的に接続するために一つの差込口１０４が設けられ、ケーブル３０２の片側の映像端子を外部表示装置３０１に接続した反対側の接続端子、又は市販の外部表示装置３０１が無線通信機能を備えるものであれば、無線通信を行う無線通信アダプタなどを差込口１０４に挿入して携帯電話機１０１と外部表示装置３０１とを接続する。
【００１５】
外部表示装置３０１と接続される側のケーブル３０２には、映像信号をアナログ信号として出力するコンポジット映像端子、セパレート映像端子、コンポーネント映像端子、Ｄ端子、及び映像信号をディジタル信号として出力するＤＶＩ端子などが設けられる。
【００１６】
携帯電話機１０１に接続できる外部表示装置３０１に関する情報は、予め登録されているが、接続する外部表示装置３０１の解像度及び外部表示装置３０１と接続する映像端子などに関する情報をユーザが登録又は変更できるようにしてもよい。
【００１７】
図２は、本発明の実施の形態１に係る携帯電話機の構成を示すブロック図である。図２に示すように、携帯電話機１０１は、データ入力部１０５と、データ入力部１０５に接続されるデマルチプレクサ１０６と、デマルチプレクサ１０６に接続されるビデオデコーダ１０７と、ビデオデコーダ１０７に接続される内部用画質調整部１０８と、内部用画質調整部１０８で再生した映像信号を表示する内蔵表示デバイス１０２と、同じくビデオデコーダ１０７に接続される外部用画質調整部１０９と、外部用画質調整部１０９と外部表示装置３０１とを接続する外部接続部１０３と、外部接続部１０３の差込口１０４に外部表示装置３０１が接続されたことを電気的に検知する接続検知部１１０とを備える。
【００１８】
データ入力部１０５は、メモリなどに記憶されたファイルから映像データを含む多重化ストリームを読み出して入力する。ファイルには、携帯電話機１０１によって撮影した画像データ、及び録画した映像データを記憶してもよいし、携帯電話機１０１を使ってネットワークなどを通じてダウンロードした映像データなどを記憶してもよい。
【００１９】
デマルチプレクサ１０６は、多重化ストリームから映像ストリームを分離する。ビデオデコーダ１０７は、デマルチプレクサ１０６により分離された映像ストリームを圧縮コーデックに従って映像信号に復号化する。
【００２０】
内部用画質調整部１０８は、携帯電話機１０１の内蔵表示デバイス１０２のような小型の液晶画面に合わせて入力されたファイルの解像度をＱＣＩＦ（１７６×１４４ピクセル）、又はＱＶＧＡ（３２０×２４０ピクセル）に変換する処理を行う解像度調整部１１１と、解像度調整部１１１で行われた低い解像度変換に合わせて強い輪郭強調処理を行う映像フィルタ部１１２とを備え、復号化された映像信号を内蔵表示デバイス１０２に合わせて変換してポストフィルタ処理された映像信号を内蔵表示デバイス１０２に表示する。
【００２１】
外部用画質調整部１０９は、携帯電話機１０１に接続できる外部表示装置３０１の解像度及びケーブル３０２の映像端子の出力形式又は無線通信アダプタの出力形式を登録した外部接続情報テーブル１１３と、入力されたファイルの解像度と外部接続情報テーブル１１３に登録された外部表示装置３０１の解像度に従って復号化された映像信号の拡大率を計算して拡大又は縮小処理によって解像度変換処理を行う解像度調整部１１４と、解像度調整部１１４で高い解像度変換が行われるときは高い解像度変換に最適な輪郭強調処理を行い、解像度調整部１１４で低い解像度変換が行われるときは低い解像度変換に最適な輪郭強調処理を行う映像フィルタ部１１５と、外部接続情報テーブル１１３に登録された映像端子の出力形式に合わせて映像信号を汎用なインターフェース信号に変換して外部表示装置３０１に出力するインターフェース調整部１１６とを備える。一般的に、解像度調整部１１４で高い解像度変換が行われるときは弱い輪郭強調処理を行い、解像度調整部１１４で低い解像度変換が行われるときは強い輪郭強調処理を行うのが望ましい。
【００２２】
外部接続部１０３の差込口１０４に外部表示装置３０１を接続したケーブルの接続端子が挿入され、接続検知部１１０によって外部表示装置３０１が電気的に接続されたことが検知されると、外部用画質調整部１０９は、外部接続情報テーブル１１３に従って画質調整を行い、映像信号をインターフェース調整部１１６から外部接続部１０３を介して外部表示装置３０１に送信する。
【００２３】
解像度調整部１１４は、ＴＶに出力する場合は、４：３の縦横比なので、ＶＧＡ系列の映像については縦横比を保持したまま拡大処理を行い、ＣＩＦ系列の映像をＴＶに出力するか、又はＶＧＡ・ＣＩＦ系列の映像をＨＤＴＶに出力する場合は、縦横比が異なるので、トップ＆ボトムクロップ、又はブローアップなどの処理を行って再生した映像の上下をカットして外部表示装置３０１に表示するか、センター配置の場合、サイドパネルで左右を塗りつぶして再生した映像を外部表示装置３０１に表示するか、フルサイズ変換、又は左右を引き伸ばすアナモフィックにより縦横比を固定せずに全領域を外部表示装置３０１に表示するかのいずれかの方法により拡大処理を行う。拡大方法については、ユーザが設定を行うようにしてもよいし、自動的に選択するようにしてもよい。
【００２４】
また、ＴＶの場合、セーフティエリアの概念によって映像信号によって表示される画像の１０％〜２０％が表示されないこともあるので、解像度調整部１１４の拡大率は、映像に合成する文字が隅に寄りすぎたり、画像の端に表示される情報などが途切れないように、また途切れても問題の無いように決める。
【００２５】
映像フィルタ部１１５は、解像度調整部１１４の拡大率に従って予め設定されている輪郭強調値から最適なものを選択して輪郭強調処理を行う。
【００２６】
図３は、本発明の実施の形態１に係る外部接続情報テーブルの例を示す図である。図３に示すように、例えば、外部接続情報テーブル１１３は、外部表示装置の解像度１２１及びケーブル３０２の映像端子の出力形式又は無線通信アダプタの出力形式を表わす映像端子の出力形式１２２などで構成されており、外部表示装置の解像度１２１と、映像端子の出力形式１２２は、予め登録されているが、ユーザが登録または変更できるようにしてもよい。
【００２７】
図３に示すように、例えば、外部表示装置の解像度１２１にＶＧＡ（６４０×４８０ピクセル）ＴＶ、映像端子の出力形式１２２にコンポーネント映像端子によるコンポーネント出力用変換プロセスが登録されているとすると、解像度調整部１１４ではＶＧＡ（６４０×４８０ピクセル）の解像度変換処理を行い、映像フィルタ部１１５は高い解像度に合わせて弱い輪郭強調処理を行い、インターフェース調整部１１６は、コンポーネント映像端子に合わせて映像信号をアナログの輝度（Ｙ）・色差信号（Ｃｂ、Ｃｒ）に変換して出力する。
【００２８】
以上のように構成された携帯電話機１０１の動作について説明する。図４は、本発明の実施の形態１に係る携帯電話機の動作を説明するフロー図である。図４に示すように、ユーザが、メモリからファイルを選択して（ＳＴ１０１）、「再生」を入力すると（ＳＴ１０２；ＹＥＳ）、「再生終了」が入力されるまで（ＳＴ１０３；ＮＯ）、データ入力部１０５は、選択されたファイルの多重化ストリームを入力し（ＳＴ１０４）、デマルチプレクサ１０６は、入力された多重化ストリームから映像ストリームを分離し（ＳＴ１０５）、ビデオデコーダ１０７は、映像ストリームを映像信号に復号化する（ＳＴ１０６）。
【００２９】
接続検知部１１０が外部接続を検出していなければ（ＳＴ１０７；ＮＯ）、内部用画質調整部１０８の解像度調整部１１１は、内蔵表示デバイス１０２に合わせて復号化した映像信号に対してＱＣＩＦ（１７６×１４４ピクセル）、又はＱＶＧＡ（３２０×２４０ピクセル）の解像度変換処理を行い（ＳＴ１０８）、映像フィルタ部１１２は、低い解像度に合わせて低い解像度に最適な強い輪郭強調処理（縮小率に最適な輪郭強調処理）を行って（ＳＴ１０９）、内蔵表示デバイス１０２に映像を出力し（ＳＴ１１０）、ＳＴ１０３に戻って、「再生終了」が入力されるまで（ＳＴ１０３；ＮＯ）、ＳＴ１０４からＳＴ１１０の処理を繰り返す。
【００３０】
ＳＴ１０７において、接続検知部１１０が外部接続を検知すれば（ＳＴ１０７；ＹＥＳ）、ＳＴ１０８〜ＳＴ１１０の処理と平行して外部用画質調整部１０９においてビデオデコーダ１０７で復号化された映像信号に対して以下の処理を行う。
【００３１】
解像度調整部１１４は、図３に示す外部接続情報テーブル１１３に登録された外部表示装置の解像度１２１に従ってＶＧＡ（６４０×４８０ピクセル）の解像度変換処理を行い（ＳＴ１１１）、映像フィルタ部１１５は、高い解像度に合わせて高い解像度に最適な輪郭強調処理を行い（ＳＴ１１２）、インターフェース調整部１１６は、外部接続情報テーブル１１３の映像端子の出力形式１２２に登録されたコンポーネント出力用変換プロセスに合わせて映像信号をアナログの輝度（Ｙ）・色差信号（Ｃｂ、Ｃｒ）の汎用的なインターフェース信号に変換して（ＳＴ１１３）、外部表示装置３０１に出力し（ＳＴ１１４）、ＳＴ１０３に戻って、「再生終了」が入力されるまで（ＳＴ１０３；ＮＯ）、ＳＴ１０４からＳＴ１１４の処理を繰り返す。一般的に、映像フィルタ部１１５は、高い解像度に合わせて弱い輪郭強調処理を行うのが望ましい。
【００３２】
このように、本発明の実施の形態１によれば、内蔵表示デバイス１０２のための画質調整を行う内部用画質調整部１０８と、外部映像表示装置３０１を接続する外部接続部１０３と、外部接続部１０３に外部映像表示装置３０１が接続されたことを検知する接続検知部１１０と、接続検知部１１０が外部接続を検知すると外部接続情報テーブル１１３に従って画質調整を行う外部用画質調整部１０９とを備えたので、内蔵表示デバイス１０２に映像を表示すると同時に接続された市販の外部表示装置３０１に美しい画像を表示することができた。
【００３３】
携帯電話機１０１の内臓表示デバイス１０２と、外部表示装置３０１に同時に映像を表示することができたので、複数台の外部表示装置３０１をモニタとして備えた大きな会場内、又、会議などで外部表示装置３０１と離れた場所にユーザがいても、携帯電話機１０１で外部表示装置３０１に表示される映像を確認しながら、再生開始、停止などの操作が行えるようになったので映像再生装置の利便性を高めることができた。また、表示される映像を確認しながら、離れた場所にいる複数の視聴者にミニ放送などを行うこともできるようになった。
【００３４】
また、小型の表示画面のために最適な輪郭強調処理を行う内部用画質調整部１０８の映像フィルタ部１１２と、外部表示装置３０１の解像度に合わせて、解像度調整部１１４で高い解像度変換が行われるときは高い解像度変換に最適な輪郭強調処理を行い、解像度調整部１１４で低い解像度変換が行われるときは低い解像度変換に最適な輪郭強調処理を行う外部用画質調整部１０９の映像フィルタ部１１５とを別々に備えたので、内蔵表示デバイス１０２及び外部表示装置３０１のそれぞれにとって最適で良質な映像を同時に提供することができた。
【００３５】
映像フィルタ部１１５では、拡大率の増加に伴って最適な輪郭強調を行うので、拡大率の大きい外部表示装置３０１でノイズによる画質の劣化が目立たなくなった。
【００３６】
解像度調整部１１４で解像度変換を行ってから映像フィルタ部１１５で輪郭強調処理を行っているので、ノイズによる画質劣化を最小限に抑えられた。
【００３７】
尚、携帯電話機１０１のカメラ機能によって入力された画像データなどにも入力映像データとして入力することができる。入力される映像データが多重化されていなければ、デマルチプレクサ１０６を省略し、入力される映像データが復号化されていなければ、ビデオデコーダ１０７を省略する。
【００３８】
尚、解像度調整部１１１及び解像度調整部１１４は、携帯電話機１０１の内蔵表示デバイス１０２の解像度、外部表示装置３０１の解像度、及び入力されたファイルの解像度によっては、拡大処理だけでなく、縮小又は等倍（変換無し）処理を行うこともある。
【００３９】
（実施の形態２）
図５は、本発明の実施の形態２に係る携帯電話機の外観図である。図５（ａ）は、外部表示装置を接続する前の携帯電話機の外観図、図５（ｂ）は、外部表示装置を接続した状態の携帯電話機の外観図である。図５において、図１に示す実施の形態１に係る携帯電話機１０１と同じ部分については同一の符号を付して説明を省略する。
【００４０】
図５に示すように、実施の形態２の携帯電話機２０１には、外部接続部２０３に、例えば、「ａ」、「ｂ」、「ｃ」、「ｄ」、「ｅ」などのように、複数の差込口２０４が設けてあり、市販の外部表示装置３０１を複数同時に接続することができる。
【００４１】
「ａ」をコンポジット映像端子、「ｂ」をセパレート映像端子、「ｃ」をコンポーネント映像端子、「ｄ」をＤ端子、「ｅ」をＤＶＩ端子などの差込口２０４としてもよいし、「ａ」、「ｂ」、「ｃ」、「ｄ」、「ｅ」の全ての差込口２０４をコンポーネント映像端子などとしてもよい。
【００４２】
図６は、本発明の実施の形態２に係る携帯電話機の構成を示すブロック図である。図６において、図２に示す実施の形態１に係る携帯電話機１０１と同じ構成については同一の符号を付して説明を省略する。図６に示すように、実施の形態２の携帯電話機２０１は、外部接続部２０３に複数の差込口２０４を設けたことと、接続検出部２１０によって外部表示装置３０１が接続された差込口２０４、例えば、「ａ」、「ｂ」、「ｃ」、「ｄ」、「ｅ」を検出することと、外部用画質調整部２０９は、差込口２０４、例えば、「ａ」、「ｂ」、「ｃ」、「ｄ」、「ｅ」に対応した外部接続情報テーブル２１３を備えて、接続検出部２１０が接続を検出した差込口２０４、例えば、「ａ」、「ｂ」、「ｃ」、「ｄ」、「ｅ」に対応してそれぞれが解像度調整部１１４、映像フィルタ部１１５、及びインターフェース調整部１１６を備え、異なる複数の画質調整処理を同時に実行する。
【００４３】
図７は、本発明の実施の形態２に係る外部接続情報テーブルの例を示す図である。図７に示すように、例えば、外部接続情報テーブル２１３は、差込口２２１、外部表示装置の解像度２２２、及び映像端子の出力形式２２３などで構成され、差込口２２１、例えば、「ａ」、「ｂ」、「ｃ」、「ｄ」、「ｅ」ごとに外部表示装置の解像度２２２、及び映像端子の出力形式２２３が予め登録されているが、差込口２２１、例えば、「ａ」、「ｂ」、「ｃ」、「ｄ」、「ｅ」に対応して接続する外部表示装置の解像度２２２及び映像端子の出力形式２２３をユーザが登録または変更できるようにしてもよい。
【００４４】
図７に示すように、例えば、差込口２２１の「ｃ」及び「ｄ」のように、外部表示装置の解像度２２２にＨＤＴＶ（１９２０×１０８０ピクセル）が登録されていれば、解像度調整部１１４ではＨＤＴＶ（１９２０×１０８０ピクセル）の解像度変換処理を行い、映像フィルタ部１１５では、高い解像度に合わせて最適な輪郭強調処理が行われる。
【００４５】
差込口２２１の「ｅ」のように、外部表示装置の解像度２２２にＰＣモニタ（１６００×１２００ピクセル）が登録されていれば、解像度調整部１１４ではＰＣモニタ（１６００×１２００ピクセル）の解像度変換処理を行い、映像フィルタ部１１５では、高い解像度に合わせて最適な輪郭強調処理が行われる。
【００４６】
差込口２２１の「ａ」のように、映像端子の出力形式２２２にコンポジット映像端子によるコンポジット出力用変換プロセスが登録されている場合は、インターフェース調整部１１６は、コンポジット映像端子に合わせて映像信号をＹ／Ｃ複合のアナログの輝度信号（Ｙ）と色信号（Ｃ）に変換して出力する。
【００４７】
差込口２２１の「ｂ」のように、映像端子の出力形式２２２にセパレート映像端子によるセパレート出力用変換プロセスが登録されている場合は、インターフェース調整部１１６は、セパレート映像端子に合わせて映像信号をＹ／Ｃ分離のアナログの輝度信号（Ｙ）と色信号（Ｃ）に変換して出力する。
【００４８】
差込口２２１の「ｄ」のように、映像端子の出力形式２２２にＤ端子映像端子によるＤ端子出力用変換プロセスが登録されているときは、インターフェース調整部１１６は、Ｄ映像端子に合わせて映像信号を、アナログの輝度（Ｙ）・色差信号（Ｃｂ、Ｃｒ）に変換して出力する。
【００４９】
差込口２２１の「ｅ」のように、映像端子の出力形式２２２にディジタル出力形式ＤＶＩ（Digital Video Interface）によるＤＶＩ変換プロセスが登録されているときは、インターフェース調整部１１６は、ＤＶＩ規格などに従って映像信号をディジタル変換して出力する。ＤＶＩ規格では、画像データと制御信号をディジタル伝送して出力しているが、ディジタル伝送の場合、外部表示装置３０１との間に制御が必要になるため外部表示装置３０１が規格を準拠するものに限定される。
【００５０】
以上のように構成された携帯電話機２０１の動作について説明する。図８は、本発明の実施の形態２に係る携帯電話機の動作を説明するフロー図である。図８において、図４に示す実施の形態１に係る携帯電話機１０１の動作を説明するフロー図と同じステップについては同一の符号を付して説明を省略する。図８に示すように，接続検出部２１０が外部接続を検出していなければ（ＳＴ２０１；ＮＯ）、ＳＴ１０８〜ＳＴ１１０の処理を行う。
【００５１】
ＳＴ２０１において、接続検出部２１０が外部接続を検出すれば（ＳＴ２０１；ＹＥＳ）、ＳＴ１０８〜ＳＴ１１０の処理と平行して外部用画質調整部２０９において外部画質調整処理を行う（ＳＴ２０２）。
【００５２】
図９は、本発明の実施の形態２に係る外部画質調整処理の動作を説明するフロー図である。図９に示すように、１つの差込口２０４で外部表示装置３０１の接続が検知されると（ＳＴ３０１；ＹＥＳ）、解像度調整部１１４は、外部接続情報テーブル２１３の接続が検出された差込口２２１に登録された外部表示装置の解像度２２２に従って解像度変換処理を行い（ＳＴ１１１）、映像フィルタ部１１５は、解像度調整部１１４で高い解像度変換が行われるときは高い解像度変換に最適な輪郭強調処理を行い、解像度調整部１１４で低い解像度変換が行われるときは低い解像度変換に最適な輪郭強調処理を行い（ＳＴ１１２）、インターフェース調整部１１６は、外部接続情報テーブル２１３に登録された映像端子の出力形式２２３に合わせて映像信号を汎用的なインターフェース信号に変換して（ＳＴ１１３）、外部表示装置３０１に出力して（ＳＴ１１４）、ＳＴ１０３に戻る。一般的に、解像度調整部１１４で高い解像度変換が行われるときは弱い輪郭強調処理を行い、解像度調整部１１４で低い解像度変換が行われるときは強い輪郭強調処理を行うのが望ましい。
【００５３】
２つの差込口２０４で外部表示装置３０１の接続が検知されると（ＳＴ３０２；ＹＥＳ）、ＳＴ１１１〜ＳＴ１１４の処理と平行して同様に同じＳＴ１１１〜ＳＴ１１４の処理を行う。
【００５４】
３つの差込口２０４で外部表示装置３０１の接続が検知されると（ＳＴ３０３；ＹＥＳ）、２つのＳＴ１１１〜ＳＴ１１４の処理と平行して、更にもう１つのＳＴ１１１〜ＳＴ１１４の処理を行う。
【００５５】
外部画質調整処理において、複数の差込口２０４で外部表示装置３０１の接続が検知されると、外部表示装置３０１の接続が検出された差込口２０４の数に応じてＳＴ１１１〜ＳＴ１１４の処理が平行して実行され、接続された複数の外部表示装置３０１に同時に映像が出力される。
【００５６】
このように、本発明の実施の形態２によれば、外部接続部２０３に複数の差込口２０４と接続検出部２１０を設けたので、携帯電話機２０１に複数の市販の外部表示装置３０１を接続して同時にそれぞれが美しい映像を表示することができる。
【００５７】
尚、携帯電話機２０１は、複数台の外部表示装置３０１とケーブル３０２などの有線、又は無線通信によりダイレクトに接続されるが、ネットワークなどの通信手段により接続してもよい。
【産業上の利用可能性】
【００５８】
本発明に係る映像再生装置は、内蔵する表示デバイスに映像を表示すると同時に接続された市販の外部表示装置に美しい画像を表示することができるという効果を有し、携帯電話機やポータブルプレイヤーなどの小型で携帯可能な映像再生装置及び映像再生方法に有効である。
【図面の簡単な説明】
【００５９】
【図１】本発明の実施の形態１に係る携帯電話機の外観図
【図２】本発明の実施の形態１に係る携帯電話機の構成を示すブロック図
【図３】本発明の実施の形態１に係る外部接続情報テーブルの例を示す図
【図４】本発明の実施の形態１に係る携帯電話機の動作を説明するフロー図
【図５】本発明の実施の形態２に係る携帯電話機の外観図
【図６】本発明の実施の形態２に係る携帯電話機の構成を示すブロック図
【図７】本発明の実施の形態２に係る外部接続情報テーブルの例を示す図
【図８】本発明の実施の形態２に係る携帯電話機の動作を説明するフロー図
【図９】本発明の実施の形態２に係る外部画質調整処理の動作を説明するフロー図
【符号の説明】
【００６０】
１０１、２０１  携帯電話機
１０２  内蔵表示デバイス
１０３、２０３  外部接続部
１０４、２０４、２２１  差込口
１０５  データ入力部
１０６  デマルチプレクサ
１０７  ビデオデコーダ
１０８  内部用画質調整部
１０９、２０９  外部用画質調整部
１１０、２１０  接続検知部
１１１、１１４  解像度調整部
１１２、１１５  映像フィルタ部
１１３、２１３  外部接続情報テーブル
１２１、２２２  外部表示装置の解像度
１２２、２２３  映像端子の出力形式
３０１  外部表示装置
３０２  ケーブル
【図１】
2007088933.tif 000003
【図２】
2007088933.tif 000004
【図３】
2007088933.tif 000005
【図４】
2007088933.tif 000006
【図５】
2007088933.tif 000007
【図６】
2007088933.tif 000008
【図７】
2007088933.tif 000009
【図８】
2007088933.tif 000010
【図９】
2007088933.tif 000011